(57)【要約】  所望の強度を確保しつつ材料所要量を下げた、即ち強度に対する材料所要量の小さいエレベータ用ガイドレールを得ることを目的とする。  この目的を達成するために、ガイドレールを、板状の基部にレール部を起立させた略Ｔ形に形成し、レール部にガイド体を係合させて乗りかごあるいは釣合い錘の昇降移動を案内し、基部の底面の中央部に凹みを形成し、断面積において、この凹み部分を基部の両端面とレール部の頂部に割り振るように形成する。【特許請求の範囲】
【請求項１】
板状の基部にレール部を起立させた略Ｔ形に形成され、前記レール部にガイド体を係合させて乗りかごあるいは釣合い錘の昇降移動を案内し、前記基部の底面の中央部が凹んでいることを特徴とするエレベータ用ガイドレール。
【請求項２】
前記基部の底面中央部の凹みが円形状に形成されていることを特徴とする請求項１に記載のエレベータ用ガイドレール。
【請求項３】
ＩＳＯあるいはＪＥＡＳのＴ形レールの形状を呈し、前記Ｔ形レールにおいて、前期ガイド体が係合するレール部の幅と、前記基部の両端面の高さと、前記基部の両端面からレール部に向かって形成された傾斜面の傾斜角とを同一とし、前記基部の底面中央部の凹んだ部分の断面積をレール部の頂部と基部の両端面に割り振ったことを特徴とする請求項１または請求項２に記載のエレベータ用ガイドレール。
【発明の詳細な説明】
【技術分野】
【０００１】
この発明は、昇降路内の乗りかごあるいは釣合い錘の昇降移動を案内するエレベータ用ガイドレールに関するものである。
【背景技術】
【０００２】
エレベータは、昇降路内に主索を介して吊り下げられた乗りかごと釣合い錘がつるべ式に昇降するようになっている。乗りかご及び釣合い錘はガイドレールにより案内されている。ガイドレールは、昇降行程にわたってレール支持部材を介して所定の間隔で昇降路内壁に敷設されている。従来のガイドレールは、板状の基部にレール部を起立させた略Ｔ形に形成され、ＩＳＯまたはＪＥＡＳ規格に示されたＴ形レールが使用されており、基部をレール支持部材に取り付け、レール部に乗りかご及び釣合い錘を案内するようになっている。（例えば特許文献１参照）【０００３】
【特許文献１】特開２００３−２３８０４５号公報（第３，４頁、第１図、第２図）
【発明の開示】
【発明が解決しようとする課題】
【０００４】
ガイドレールは、前述ように乗りかご及び釣合い錘を案内するものだが、地震や非常止めによって乗りかごまたは釣合い錘から荷重を受ける。そのため、この荷重に対しての強度を要する。また、ガイドレールは昇降行程にわたって敷設されているので、昇降行程が高くなる程、エレベータ１台あたりのガイドレール所要量が増え、また、乗りかごの容量が大きくなるとガイドレールのサイズも大きくなる。そのため、エレベータでは、所望の強度を確保しつつ材料所要量を下げた、即ち強度に対する材料所要量の小さいガイドレールが求められる。【０００５】
この発明は、かかる問題点を解決するためになされたもので、所望の強度を確保しつつ材料所要量を下げた、即ち強度に対する材料所要量の小さいガイドレールを得ることを目的とする。
【課題を解決するための手段】
【０００６】
この発明に係るエレベータ用ガイドレールにおいては、板状の基部にレール部を起立させた略Ｔ形に形成され、レール部にガイド体を係合させて乗りかごあるいは釣合い錘の昇降移動を案内し、基部の底面の中央部に凹みを形成したものである。
【発明の効果】
【０００７】
この発明は、基部底面の中央部の凹み部分を基部の両端とレール部の頂部に割り振ることにより、材料所要量を抑えつつ強度を増大させたエレベータ用ガイドレールを得ることができる。
【図面の簡単な説明】
【０００８】
【図１】この発明の実施の形態１におけるガイドレールの断面図を示す図である。
【図２】実施の形態１におけるガイドレールをエレベータに適用した一例を示す図である。
【図３】実施の形態１のガイドレールと従来のガイドレールとの比較を示す図である。
【図４】実施の形態１のガイドレールの使用状態を示す図である。
【図５】この発明の他の実施の形態におけるガイドレールを示す図である。
【符号の説明】
【０００９】
１  ガイドレール、２  基部、２ａ  傾斜面、２ｂ  円形状の凹み、２ｃ  方形状の凹み、３  レール部、３ａ  レール頭部、３ｂ  レール首部、４  乗りかご、５  ガイド体、６  レールブラケット、７  レールクリップ、８  ボルト、９  ナット、１０  ガイドローラ
【発明を実施するための最良の形態】
【００１０】
以下、この発明の好適な実施の形態について図面を参照して説明する。【００１１】
実施の形態１．
図１から図３はこの発明の実施の形態１を示す図で、図１は本実施形態のガイドレールの断面図で、図２はガイドレールをエレベータに適用した一例を示すもので、図３は本実施形態のガイドレールと従来のガイドレールとの比較図で、図４は本実施形態のガイドレールの使用状態を示す図である。図１において、ガイドレール１は板状の基部２にレール部３が立設状態に形成されて略Ｔ形に呈している。基部２の上面は傾斜面２ａを形成され、底面は中央部に円形状の凹み２ｂを形成されている。基部の底面の平らな部分を図示しないレールブラケットに固定し、レールブラケットを昇降路の内壁に所定の間隔で固定することで、ガイドレール１は昇降路に敷設される。そして、レール部３は、図示しないガイド体に係合するレール頭部３ａを有し、このレール頭部３ａをその幅より細いレール首部３ｂを介して基部に連結される。そして、これらは一体に形成されガイドレール１を構成している。【００１２】
ここで、ガイドレール１にかかる荷重について説明する。図２はガイドレール１をエレベータに適用した一例を示すもので、（ａ）は上面図、（ｂ）は正面図を示す。乗りかご４には４隅にガイド体５が設けられ、ガイド体５はガイドレール１に係合されて、乗りかご４をガイドレール１に案内させて昇降移動する。また、ガイドレール１はレールブラケット６を介して昇降路の内壁に所定の間隔で固定される。【００１３】
乗りかご４が、ガイドレール１の固定箇所の間、即ち、レールブラケット６の固定箇所の間にいる状態で地震等が発生した場合、その地震力はガイド体５を介してガイドレール１に、レール頭部３ａの頂部方向の力Ｆｘ及び側面方向の力Ｆｙとして作用する。このように、ガイドレール１は、その固定箇所の間で地震による２方向の力Ｆｘ、Ｆｙによる曲げモーメントを受け、この曲げモーメントに対して所望の強度を要する。【００１４】
次に、本実施形態のガイドレール１と従来のガイドレールとの比較について説明する。図３は、例示として従来のＩＳＯのＴ形レールとの比較を示したものである。本実施形態のガイドレール１は従来のＩＳＯＴ形レールに対して、基部２底面中央部に凹み２ｂを形成し、断面の図心Ａをほぼ同じ位置となるように、基部２底面中央部の凹み部分を基部２の両端面とレール頭部３ａの頂部に割り振って形成されている。そして、基部２の端面の高さＨ１と基部２の傾斜面２ａの傾斜角はＩＳＯのＴ形レールと同じで、レール頭部３ａの幅Ｂとレール頭部３ａの高さＨ２ともＩＳＯのＴ形レールと同じとなるように形成している。【００１５】
以上のように、本実施形態のガイドレール１は、従来のＩＳＯのＴ形レールと同じ断面積でありながら、基部２の中央部に凹み２ｂを形成し断面の図心Ａに近い部分の占有面積を小さくし、その凹み部分を図心Ａから離れた部位（基部２の両端とレール頭部３ａの頂部）に割り振ることで、断面２次モーメントを大きくすることができ、断面係数も大きくなる。これにより、従来のＩＳＯのＴ形レールと同じ材料所要量で２方向（図３の左右方向と上下方向）の曲げモーメントに対する強度を増大させることができる。【００１６】
また、反対に従来のＩＳＯのＴ形レールと同一の断面２次モーメントとなるように、上記のように基部２底面の中央部を凹ませた形状に形成したものは断面積を減らすことができ、材料所要量を小さくすることができる。【００１７】
次に、本実施形態のガイドレール１の使用例について説明する。図４はその使用例を示すものである。レールクリップ７は基部２の傾斜面２ａをボルト８及びナット９で押さえることでレールブラケット１０に固定し、ガイドレール１をレールブラケット１０に固定する。そして、ガイト体であるガイドローラ１１はレール頭部３ａの両側面及び端部に係合され、ガイド体を設けた図示しない乗りかごあるいは釣合い錘の昇降移動を案内する。【００１８】
前述したように、ガイドレール１は、基部２の端面の高さ、基部２傾斜面２ａの傾斜角、レール頭部３ａの幅、レール頭部３ａの高さとも従来のＩＳＯのＴ形レールと同一なので、ガイドレール１を固定するレールクリップ７及びガイド体であるガイドローラ１０は従来の既存の部品を使用することができる。そのため、新たな部品を使用することなく、材料所要量が小さく強度が大きいガイドレール１をエレベータに適用することができ経済的である。【００１９】
なお、本実施形態は基部２の中央部に円形状の凹み２ｂを形成したが、これに制限することはない。例えば、図５のように、基部２の中央部に方形状の凹み２ｃを形成してもよい。但し、断面の図心に近い部位の面積が小さく図心より離れた部位の面積が大きいほど、同じ材料所要量で断面２次モーメントを大きくすることができるので、円形状の凹みの方が効果的である。
【産業上の利用可能性】
【００２０】
以上のように、この発明にかかるエレベータ用ガイドレール１は、昇降路内の乗りかごあるいは釣合い錘の昇降移動を案内する機器に用いられるのに適している。
【図１】
2006095413.tif 000002
【図２】
2006095413.tif 000003
【図３】
2006095413.tif 000004
【図４】
2006095413.tif 000005
【図５】
2006095413.tif 000006
【国際調査報告】
2006095413.tif 000007
2006095413.tif 000008
2006095413.tif 000009
2006095413.tif 000010